(57)【要約】【課題】操作感の向上が可能な入力装置を提供する。【解決手段】複数のキーを含む入力部と、前記キーに対する入力操作の感度を定める感度制御部と、前記入力操作および前記感度に基づいて前記キーへの入力の有無を検出する入力検出部と、少なくとも１つのキーを含む１または複数の入力領域を前記入力部に定める領域制御部と、を具備し、前記感度制御部は、複数の前記入力領域ごとに前記感度を設定することを特徴とする入力装置である。【選択図】図３
2020030712.tif 000002
【特許請求の範囲】
【請求項１】
複数のキーを含む入力部と、
前記キーに対する入力操作の感度を定める感度制御部と、
前記入力操作および前記感度に基づいて前記キーへの入力の有無を検出する入力検出部と、
少なくとも１つのキーを含む１または複数の入力領域を前記入力部に定める領域制御部と、を具備し、
前記感度制御部は、複数の前記入力領域ごとに前記感度を設定することを特徴とする入力装置。
【請求項２】
前記入力領域は２つ以上の互いに隣接するキーを含む請求項１に記載の入力装置。
【請求項３】
前記領域制御部は、前記入力部上におけるユーザの指の配置に基づいて前記複数の入力領域を定める請求項１または２に記載の入力装置。
【請求項４】
複数のキーを含む静電容量方式のタッチパネルと、
前記キーに対する入力操作の感度を定める感度制御部と、
前記入力操作による入力値が閾値以上である場合、前記キーへの入力を検出する入力検出部と、を具備し、
前記複数のキーは第１キーおよび第２キーを含み、
前記感度制御部は、前記第１キーに対応する閾値を、前記第２キーに対応する閾値よりも小さくし、かつユーザが前記第１キーに所定距離まで接近したときの入力値より小さくすることを特徴とする入力装置。
【発明の詳細な説明】
【技術分野】
【０００１】
本発明は、入力装置に関する。
【背景技術】
【０００２】
タブレットや携帯電話のソフトウエアキーボードは、表面が平坦なタッチパネルで入力を検知して入力位置に対応するキーデータを入力している。メカニカルなキーボードではキー配置が固定されているが、ソフトウエアキーボードではキー領域の配置が変更可能である。また、キー領域への入力操作の強さに基づいて、入力操作の感度をキー領域ごとに異ならせる技術も開発されている（例えば特許文献１および２）。
【先行技術文献】
【特許文献】
【０００３】
【特許文献１】特開２０１２−９８８２８号公報
【特許文献２】特開２０１６−１６２３６４号公報
【発明の概要】
【発明が解決しようとする課題】
【０００４】
しかし、上記の技術ではユーザの操作感が十分ではない。本発明の目的は、操作感の向上が可能な入力装置を提供することにある。
【課題を解決するための手段】
【０００５】
上記目的を達成するため、明細書に開示された入力装置は、複数のキーを含む入力部と、前記キーに対する入力操作の感度を定める感度制御部と、前記入力操作および前記感度に基づいて前記キーへの入力の有無を検出する入力検出部と、少なくとも１つのキーを含む１または複数の入力領域を前記入力部に定める領域制御部と、を具備し、前記感度制御部は、複数の前記入力領域ごとに前記感度を設定することを特徴とする。
【０００６】
上記目的を達成するため、明細書に開示された入力装置は、複数のキーを含む静電容量方式のタッチパネルと、前記キーに対する入力操作の感度を定める感度制御部と、前記入力操作による入力値が閾値以上である場合、前記キーへの入力を検出する入力検出部と、を具備し、前記複数のキーは第１キーおよび第２キーを含み、前記感度制御部は、前記第１キーに対応する閾値を、前記第２キーに対応する閾値よりも小さくし、かつユーザが前記第１キーに所定距離まで接近したときの入力値より小さくすることを特徴とする。
【発明の効果】
【０００７】
本発明の入力装置によれば、操作感の向上が可能である。
【図面の簡単な説明】
【０００８】
【図１】（ａ）は実施例１に係る入力装置のブロック図である。（ｂ）はＭＣＵの機能ブロック図である。
【図２】（ａ）はタッチパネルの断面図であり、（ｂ）はタッチパネルの斜視図である。
【図３】（ａ）は導電膜間の接触抵抗と荷重との関係を示す図である。（ｂ）から（ｄ）は入力操作を示す模式図である。
【図４】（ａ）から（ｃ）はキーボードを例示する平面図である。
【図５】（ａ）および（ｂ）はキーボードを例示する平面図である。
【図６】領域設定の処理を例示するフローチャートである。
【図７】入力検出の処理を例示するフローチャートである。
【図８】（ａ）はタッチパネルの断面図であり、（ｂ）はタッチパネルの平面図である。
【図９】（ａ）は静電容量の変化を示す図である。（ｂ）から（ｅ）は入力操作を示す模式図である。
【図１０】入力検出の処理を例示するフローチャートである。
【発明を実施するための形態】
【０００９】
以下、図面を参照しながら本発明の実施の形態を説明する。
【実施例１】
【００１０】
図１（ａ）は実施例１に係る入力装置１００のブロック図である。図１（ａ）に示す入力装置１００は、互いにバス１８で接続されたＭＣＵ（Micro Control Unit）１０、ＲＡＭ（Random Access Memory）１２、ＲＯＭ（Read Only Memory）１４、ＩＦ（Interface）１６、およびタッチパネル２０を有する。入力装置１００は例えばスマートフォンまたはタブレット端末などの電子機器であり、パーソナルコンピュータ（ＰＣ：Personal Computer）１に接続することができる。
【００１１】
ＭＣＵ１０は入力装置１００を制御する演算装置である。ＲＡＭ１２はワーキングエリアとして機能する。ＲＯＭ１４はオペレーティングシステム（ＯＳ）、アプリケーション、およびタッチパネルドライバなどを格納し、さらに後述の領域のデータなどを格納している。ＩＦ１６は通信インターフェースであり、ＩＦ１６を介して入力装置１００とＰＣ１との通信が行われる。
【００１２】
図１（ｂ）はＭＣＵ１０の機能ブロック図である。図１（ｂ）に示すように、ＭＣＵ１０はキー領域制御部３０、領域制御部３２、感度制御部３４、検出部３６、および入力検出部３８として機能する。キー領域制御部３０はタッチパネル２０に表示されるキーボードのキーとなる領域の設定および変更などを行う。領域制御部３２は表示されるキーボード内に少なくとも１つの領域を定める。感度制御部３４は、ユーザの入力操作に対する感度を領域ごとに設定する。検出部３６は、タッチパネル２０がタッチされた際の接触抵抗など入力操作の強度を取得する。入力検出部３８は、接触抵抗および感度に応じて、タッチパネル２０への入力を検出する。
【００１３】
図２（ａ）はタッチパネル２０の断面図であり、図２（ｂ）はタッチパネル２０の斜視図である。タッチパネル２０は抵抗膜方式のタッチパネルであり、図２（ａ）に示すように基板４１および４３、導電膜４２および４４、接着層４５、およびドットスペーサ４６を有する。基板４１の下面に導電膜４２が貼り付けられ、基板４３の上面に導電膜４４が貼り付けられている。導電膜４２と導電膜４４とは離間し、間に複数のドットスペーサ４６が設けられている。導電膜４２と導電膜４４とは、周縁部に設けられた接着層４５により接着されている。
【００１４】
基板４１および４３はガラスまたは樹脂など透明な材料で形成されている。導電膜４２および４４は例えば酸化インジウムスズ（ＩＴＯ：Indium Tin Oxide）で形成された透明な導電膜である。接着層４５およびドットスペーサ４６は絶縁体で形成されている。
【００１５】
液晶ディスプレイなど不図示の表示部が基板４１および４３に重ねられ、ユーザは表示部の画面を視認することができる。タッチパネル２０にキーボードを表示し、以下のような方法でタッチパネル２０を操作した点のＸ座標およびＹ座標を検出することで、ユーザによるソフトウエアキーボードの入力操作を受け付けることが可能である。
【００１６】
図２（ｂ）に示すように、導電膜４２のＸ側の２つの辺には電極４７が設けられている。導電膜４４のＹ側の２つの辺には電極４８が設けられている。電極４７および４８は例えば銀（Ａｇ）などの金属で形成されている。
【００１７】
導電膜４２と導電膜４４とが接触した点のＸ座標を検出する場合、一対の電極４７のうち一方を電源Ｖｃｃに接続し、他方を接地する。これによりＸ方向に電位勾配が発生する。このときの電位を電極４８で検出し、不図示のＡＤコンバータなどを介してＭＣＵ１０に入力する。接触点のＹ座標を検出する場合、一対の電極４８のうち一方を電源Ｖｃｃに接続して他方を接地し、電極４７で検出した電位をＭＣＵ１０に入力する。ユーザの押圧の強さによって導電膜間の接触抵抗が変化するため、電極で検出される電位も押圧の強さに応じて変化する。
【００１８】
図３（ａ）は導電膜４２と導電膜４４間の接触抵抗と導電膜４２に加わる荷重との関係を示す図である。横軸は導電膜４２に加わる荷重であり、縦軸は接触抵抗である。図３（ａ）に示すように、荷重が大きいほど接触抵抗は低くなる。言い換えれば、ユーザがタッチパネル２０を弱く押圧すると導電膜同士の接触面積が小さいため接触抵抗は高くなり、強く押圧すると接触面積が相対的に大きくなるため接触抵抗は低くなる。図３（ａ）では、荷重がＮ１の場合の接触抵抗はＲ１である。Ｒｔｈ１〜Ｒｔｈ３は閾値であり、後述のようにキーボード内の領域ごとに異なる閾値が設定される。接触抵抗が各キーに設定された閾値以下になったとき、入力検出部３８はその領域内でのキー入力を検出する。なお、Ｒｔｈ１、Ｒ１、Ｒｔｈ２、Ｒ２、Ｒｔｈ３、Ｒ３の順で接触抵抗は小さくなる。
【００１９】
図３（ｂ）から図３（ｄ）は入力操作を示す模式図であり、ユーザの指２、導電膜４２および４４を図示している。図３（ｂ）から図３（ｄ）にかけて、指２から加わる荷重が大きくなるため、導電膜間の接触面積は大きくなり、接触抵抗は低くなる。図３（ｂ）では指２から加わる荷重が図３（ａ）のＮ１であり、接触抵抗はＲ１であるものとする。図３（ｃ）では荷重がＮ２であり、接触抵抗はＲ２であるものとする。図３（ｄ）では荷重がＮ３であり、接触抵抗はＲ３であるものとする。図３（ａ）から図３（ｃ）のどの状態にあるかは、そのときの接触抵抗と閾値Ｒｔｈ１〜Ｒｔｈ３とを比較することで判別することができる。
【００２０】
図４（ａ）から図５（ｂ）はキーボードを例示する平面図である。図４（ａ）に示すキーボード５０、図４（ｂ）に示すキーボード５１、図４（ｃ）に示すキーボード５２はそれぞれアルファベット入力用のＱＷＥＲＴＹ配列のソフトウエアキーボードであり、タッチパネル２０のディスプレイに表示される。キーボード５０〜５２は、アルファベットＡ〜Ｚのキー、上下左右それぞれの方向キー、Ｅｎｔｅｒキー、およびスペースキーなど複数のキーを含む。図４（ｃ）はキーボード５０および５１よりも小型であり、例えば子供用である。
【００２１】
なお、キーの配列はＱＷＥＲＴＹ配列に限定されない。図５（ａ）のキーボード６０はＡＢＣ配列を有し、左から順にアルファベットのキーがＡＢＣ順で並ぶ。図５（ｂ）のキーボード６２は５０音配列を有し、平仮名のキーが含まれる。
【００２２】
キーごとにユーザがタッチパネル２０に加える荷重は異なる。例えばユーザが小指で押圧するキーが配置される領域では、荷重が小さいため図３（ｂ）のように接触面積も小さくなり、接触抵抗は例えばＲ１程度となる。ユーザが人差し指で押圧するキーが配置される領域では、荷重が大きいため図３（ｄ）のように接触面積も大きくなり、接触抵抗は例えばＲ３程度となる。
【００２３】
そこで実施例１では、キーボード５０内に複数の領域を設定し、指でタッチパネル２０を押下する際の荷重に応じて、領域ごとに入力操作に対する感度を異ならせる。図６は領域設定の処理を例示するフローチャートである。図６の処理は例えばＰＣ１と入力装置１００とを接続し、ユーザがＰＣ１から設定コマンドを入力することで実行することができる。
【００２４】
図６に示すように、キー領域制御部３０はキーボードにキーを設定する（Ｓ１０）。この際には、例えばアルファベットＡ〜Ｚのキー、方向キー、Ｅｎｔｅｒキー、スペースキーなどの領域が設定される。領域制御部３２はキーボード内に複数の領域を設定する（Ｓ１２）。感度制御部３４は領域ごとに感度を設定する（Ｓ１４）。ＲＯＭ１４はキーボードに設定されるキー、領域および感度を関連付けて記憶する（Ｓ１６）。以上で処理は終了する。
【００２５】
例えば、キー領域制御部３０は図４（ａ）に示すようにＱＷＥＲＴＹ配列のキーを設定する。領域制御部３２は領域５３〜５５を設定する。図４（ａ）において領域間は点線で区切られている。領域５３は右下がりの斜線で示され、文字Ｑ、Ａ、およびＰのキー、Ｅｎｔｅｒキーなどを含む。領域５４は右上がりの斜線で示され、文字Ｔ、Ｙなどのキー、方向キーなどを含む。領域５５は交差する斜線で示され、スペースキーなどを含む。感度制御部３４は領域５３〜５５ごとに感度を定める。これによりキーボード５０に感度の異なる領域５３〜５５が設定される。
【００２６】
感度とは図３（ａ）に示す閾値に対応し、閾値が高いほど感度は高く、閾値が低いほど感度は低い。感度制御部３４は、領域５３の感度を高くし、領域５４の感度を領域５３よりも低くし、領域５５の感度を領域５４よりも低くする。具体的に、感度制御部３４は領域５３の閾値を図３（ａ）のＲｔｈ１、領域５４の閾値をＲｔｈ２、領域５５の閾値をＲｔｈ３と定める。
【００２７】
図４（ｂ）のキーボード５１にはキーボード５０とは異なる位置に領域５３〜５５が設定され、それぞれの閾値がＲｔｈ１〜Ｒｔｈ３と設定されている。図４（ｃ）のキーボード５２の領域５３〜５５はキーボード５０の各領域と同じキーを含む。
【００２８】
図５（ａ）に示すキーボード６０には領域６３〜６５が含まれる。領域６３はキーボード６０の端部側に位置し、領域６５は中央側に位置し、領域６４は領域６３と領域６５との間に位置する。図５（ｂ）に示すキーボード６２には領域６６〜６８が含まれる。キーボード６２の端部から中央側にかけて領域６６、６７および６８が配置される。領域６３および６６の閾値はＲｔｈ１であり、領域６４および６７の閾値はＲｔｈ２であり、領域６５および６８の閾値はＲｔｈ３である。
【００２９】
表１から表５はＲＯＭ１４に記憶されるデータテーブルの例であり、それぞれキーボード５０〜５２、キーボード６０および６２に関するキー配列、設定された領域、および領域ごとの閾値を示すデータを含む。
【表１】
2020030712.tif 000003
【表２】
2020030712.tif 000004
【表３】
2020030712.tif 000005
【表４】
2020030712.tif 000006
【表５】
2020030712.tif 000007
【００３０】
図７は入力検出の処理を例示するフローチャートである。ＭＣＵ１０はＲＯＭ１４から表示されるキーボードに対応するデータテーブルを取得する（Ｓ２０）。検出部３６はタッチパネル２０への入力操作があったか否か判定する（Ｓ２２）。否定判定（Ｎｏ）ならば処理は終了する。肯定判定（Ｙｅｓ）ならＭＣＵ１０はＳ２４に進む。例えば接触抵抗の変化があれば検出部３６は入力操作があったと判定する。
【００３１】
検出部３６はタッチパネル２０の入力操作された位置のＸ座標およびＹ座標を検出する（Ｓ２４）。入力検出部３８は、データテーブルを参照し、入力操作位置が含まれる領域を判別する（Ｓ２５）。次いで、入力検出部３８は入力操作時の接触抵抗Ｒが閾値Ｒｔｈ以下であるか否か判定する（Ｓ２６）。閾値Ｒｔｈには領域に応じてＲｔｈ１〜Ｒｔｈ３のいずれかが代入される。
【００３２】
否定判定の場合、入力検出部３８はキーの入力がなかったと判定する（Ｓ２７）。一方、肯定判定の場合、入力検出部３８はキーの入力があったと判定し（Ｓ２８）、操作されたキーに対応する文字や情報が入力される。Ｓ２７またはＳ２８の後、処理は終了する。
【００３３】
例えばタッチパネル２０が図４（ａ）に示すキーボード５０を表示している場合、ＭＣＵ１０はＲＯＭ１４から表１のデータテーブルを取得し、領域５３〜５５および閾値Ｒｔｈ１〜Ｒｔｈ３を読み出す。ユーザがキーボード５０の文字Ｓをタッチすると、Ｓ２４でＳのキーに対応するＸ座標およびＹ座標が検出される。Ｓのキーは領域５３に含まれるため、入力検出部３８は閾値としてＲｔｈ１を選択する。入力検出部３８は、キーが押圧された際の接触抵抗Ｒが閾値Ｒｔｈ１以下である場合、文字Ｓの入力を検出する。
【００３４】
また、ユーザがスペースキーをタッチした際、入力検出部３８は閾値としてＲｔｈ３を選択する。入力検出部３８は、スペースキーがタッチされた際の接触抵抗がＲｔｈ３より大きければキー入力を検出しない。一方、図３（ｄ）のように指２がタッチパネル２０に強く接触し接触抵抗がＲｔｈ３以下になった場合、入力検出部３８は入力を検出する。
【００３５】
実施例１によれば、感度制御部３４はキーボード５０の領域５３〜５３ごとに閾値を異ならせ、入力検出部３８は接触抵抗と各領域に設定された閾値とに基づいてキーの入力を検出する。例えば領域５３は高い閾値を有し感度が高い。このため、ユーザが図３（ｂ）のようにタッチパネル２０に軽く触れても入力検出部３８は入力を検出する。一方、領域５４の感度は領域５３に比べて低いため、ユーザが図３（ｃ）のように強く触れたときに入力検出部３８は入力を検出する。領域５５の感度は領域５４よりもさらに低い。このため、ユーザが図３（ｄ）のようにより強く触れたときに入力検出部３８は入力を検出する。以上のように、感度の異なる領域を設定することで、操作感が向上する。
【００３６】
図４（ａ）〜図５（ｂ）に示すように、各領域は隣接する２つ以上のキーを含むことが好ましい。これにより、複数の隣接するキーに同じ感度が設定され、ユーザはそれらのキーを程度の強さで接触することでキー入力をすることができ、操作感が向上する。またキーごとに感度を設定する場合に比べて、データテーブルに設定すべきデータ量が減るため、占有するメモリ容量を低減することができる。さらに設定の際のユーザの負担も軽減される。
【００３７】
キーボードの端部側には感度の高い領域を設け、中央側には感度の低い領域を設けることが好ましい。ユーザはキーボードの中央側のキーは強く押圧し、端部側のキーは弱く押圧することがある。押圧の強さに対応した領域を定めることで、操作感がより向上する。
【００３８】
領域制御部３２は、タッチパネル２０上におけるユーザの指の配置に基づいて領域を定めてもよい。タッチする指によりタッチパネル２０に加わる荷重が異なるため、各領域に設定する感度も指に応じて異ならせる。これにより操作感が向上する。
【００３９】
例えば、図４（ａ）に示すキーボード５０では、ユーザの小指に近いＱやＰなどのキーは弱く押圧されると考えられる。そこで領域制御部３２はこれらのキーを領域５３に設定し、感度制御部３４は領域５３の感度を高くする。一方、人差し指に近いＴのキーおよび親指に近いスペースキーなどは、小指で操作される場合と比較して強く押圧されると考えられる。そこで領域制御部３２はこれらのキーを領域５５に設定し、感度制御部３４は領域５５の感度を低くする。これにより操作感が向上する。
【００４０】
感度制御部３４は領域の感度を適宜変更してもよい。例えばキーボード５０の領域５３に対する閾値をＲｔｈ１より高くすることで、領域５３の感度を高めることができる。また、領域５５の閾値をＲｔｈ３より低くすることで、領域５５感度を低くすることもできる。ユーザの使う頻度が高い領域の感度を高め、頻度が低い領域の感度を低下させることもできる。このようにユーザが領域ごとの感度を任意に変更できるため操作感が向上する。
【００４１】
キー領域制御部３０がキーを定めることにより、図４（ａ）から図５（ｂ）に示すＱＷＥＲＴＹ配列のキーボード５０〜５２、ＡＢＣ配列のキーボード６０、および５０音配列のキーボード６２をタッチパネル２０に表示させることができる。また、キーボード５０と同じキー配列でかつサイズの小さいキーボード５２を構成することもできる。これによりユーザの入力したい文字およびユーザの手の大きさなどに応じてキーボードを変更でき、操作感が向上する。
【実施例２】
【００４２】
実施例２は抵抗膜方式のタッチパネル２０に代えて投影型静電容量方式のタッチパネル７０を用いる例である。タッチパネル以外の構成は実施例１と同じである。図８（ａ）はタッチパネル７０の断面図であり、図８（ｂ）はタッチパネル７０の平面図である。図８（ａ）に示すように、タッチパネル７０は基板７１、電極層７２および保護層７３を有する。基板７１の上に電極層７２が貼り付けられ、電極層７２の上を保護層７３が覆う。基板７１はガラスなどで形成され、電極層７２はＩＴＯなどで形成され、保護層７３は絶縁体で形成され、それぞれ透明である。タッチパネル７０には、実施例１のようにキーボード５０〜５２、６０および６２などが表示される。
【００４３】
図８（ｂ）に示すように、電極層７２は複数の電極７４および７６のパターンを有する。電極７４および７６の平面形状は例えば菱型であり、Ｘ軸方向およびＹ軸方向に配列されている。電極７４はＸ座標検出用の電極であり、電極７６はＹ座標検出用の電極である。タッチパネル７０の最も外側に位置する電極７４および７６から配線が延伸し、ＭＣＵ１０に接続する。図中の上下方向において隣り合う電極７４間は配線により電気的に接続され、左右方向において隣り合う電極７６間は配線により電気的に接続されている。隣り合う電極７４と電極７６とは電気的に接続されず、離間している。
【００４４】
ユーザの指がタッチパネル２０の表面に接触すると、電極７４および７６と指との間に容量が発生する。これによりユーザのタッチがない場合に比べ、電極間の容量が増加する。こうした容量の変化により入力位置を検出することができる。
【００４５】
図９（ａ）は静電容量の変化を示す図である。横軸は時間であり、縦軸は電極７４および７６間の静電容量である。図９（ｂ）から図９（ｅ）は入力操作を示す模式図であり、ユーザの指２とタッチパネル７０とを示している。図９（ｂ）から図９（ｄ）にかけて、指２とタッチパネル７０との接触面積が大きくなり、これに応じて容量も大きくなる。図９（ｂ）では指２とタッチパネル７０との接触面積が小さく、容量はＣ１である。図９（ｃ）では接触面積がより大きく、容量はＣ１よりも大きいＣ２である。図９（ｄ）では接触面積がさらに大きく、容量はＣ２よりも大きいＣ３である。
【００４６】
図９（ｂ）から図９（ｄ）では指２がタッチパネル７０に接触している。一方、図９（ｅ）では指２はタッチパネル７０に接触せず、距離Ｄまで接近している。図９（ｅ）に示すようにユーザがタッチパネル７０に接触しなくとも、指２がタッチパネル７０に接近することで容量は変化し、入力操作を検出することができる。図９（ｅ）では、容量はＣ１より小さいＣ４となるものとする。
【００４７】
実施例２においても図６に示した処理が行われ、図４（ａ）から図５（ｂ）に示すようにキーボードに感度の異なる領域が形成される。感度とは図９（ａ）に示す静電容量の閾値である。閾値が高いほど感度が低く、閾値が低いほど感度が高い。感度制御部３４は、図４（ａ）に示すキーボード５０の領域５３の感度を高くし、領域５４の感度を領域５３よりも低くし、領域５５の感度を領域５４によりも低くする。具体的に、感度制御部３４は領域５３の閾値をＣｔｈ１、領域５４の閾値をＣｔｈ２、領域５５の閾値をＣｔｈ３と定める。ＲＯＭ１４は表１〜表５と同様に、キーボードの配列および領域ごとの感度を含むデータテーブルを記憶する。
【００４８】
図１０は入力検出の処理を例示するフローチャートであり、図７のＳ２６に代えてＳ２６ａの処理を行う。Ｓ２０からＳ２５までは図７と同様である。入力検出部３８は、入力操作時の容量Ｃ（入力値）が閾値Ｃｔｈ以上であるか否かを判定する（Ｓ２６ａ）。この閾値Ｃｔｈには操作されている領域に応じてＣｔｈ１〜Ｃｔｈ３のいずれかが代入される。否定判定の場合、入力検出部３８はキー入力がなかったと判定する（Ｓ２７）。一方、肯定判定の場合、入力検出部３８はキー入力があったと判定する（Ｓ２８）。Ｓ２７またはＳ２８の後、処理は終了する。
【００４９】
実施例２によれば、実施例１と同様に操作感が向上する。タッチパネル７０は静電容量方式であるため、感度制御部３４は感度として容量の閾値を定める。閾値を高くすることでその領域の感度を低下させ、閾値を低くすることでその領域の感度を高めることができる。特に、図９（ｅ）のようにユーザがタッチパネル７０に接触しなくとも、距離Ｄまで近づくことで容量はＣ４となる。閾値Ｃｔｈ１をＣ４よりも小さくすることで、ユーザがタッチしなくとも入力を検出することができる。これにより操作感がさらに向上する。
【００５０】
実施例２においても実施例１と同様に、キーボードの端部と中央部とで感度を変えてもよいし、ユーザの指に応じて感度を変えてもよい。特に感度を高めたい領域に対しては、閾値を図９（ａ）において最も小さい閾値であるＣｔｈ１とすることが好ましい。このような領域では、タッチパネル７０に指を近づけるだけでキー入力が可能となる。逆に、指がタッチパネル７０に接触しない限りキー入力ができないようにするためには、その領域に対する閾値を高くすればよい。
【００５１】
実施例１および２においてはキーボードに、感度の異なる３つの領域を形成したが、例えば２つの領域を形成してもよいし、４つ以上の領域を形成してもよい。なお、キーボードの文字などのキーはタッチパネルのディスプレイに画像として表示されてもよいし、例えばタッチパネルの表面に貼り付けるシートに印刷されたものでもよい。抵抗膜方式および静電容量方式以外のタッチパネルを用いてもよい。ユーザは指など身体でタッチパネルに触れてもよいし、ペンなどを用いて入力してもよい。ユーザはＰＣ１から入力装置１００の感度などの設定を行ってもよいし、入力装置１００を操作することで入力装置１００の感度などの設定を行ってもよい。
【００５２】
尚、本発明は、上述した実施の形態に限定されるものではなく、その要旨を逸脱しない範囲内で種々変形して実施することが可能である。
【符号の説明】
【００５３】
１                                    ＰＣ
１０                                  ＭＣＵ
１２                                  ＲＡＭ
１４                                  ＲＯＭ
１６                                  ＩＦ
２０                                  タッチパネル
３０                                  キー領域制御部
３２                                  領域制御部
３４                                  感度制御部
３６                                  検出部
３８                                  入力検出部
４１、４３、７１                      基板
４２、４４                            導電膜
４７、４８、７４、７６                電極
５０〜５２、６０、６２                キーボード
５３〜５５、６３〜６５、６６〜６８    領域
７２                                  電極層
１００                                入力装置
【図１】
2020030712.tif 000008
【図２】
2020030712.tif 000009
【図３】
2020030712.tif 000010
【図４】
2020030712.tif 000011
【図５】
2020030712.tif 000012
【図６】
2020030712.tif 000013
【図７】
2020030712.tif 000014
【図８】
2020030712.tif 000015
【図９】
2020030712.tif 000016
【図１０】
2020030712.tif 000017